(57)【要約】【課題】搭載されるカメラが大型化することなく、消費電流の増大量も抑えながら、写し込み情報量を増大させることができる写し込み装置を提供する。【解決手段】フィルムカメラ用の写し込み装置において、文字及び記号が並ぶ方向において液晶表示素子１１２を第１の文字形成領域１１２ａ及び第２の文字形成領域１１２ｂの２つの領域に分けて、領域毎に写し込みに使用する２つの光源（１１５ａ，１１５ｂ）及び光路（１１１ａ，１１１ｂ）を独立して設ける。【選択図】　　　　　　　　図１
2004145068.tif 000002
【特許請求の範囲】
【請求項１】
文字及び／又は記号を表示する透過表示部材に表示された前記文字及び／又は記号を写真フィルムに透過投影して記録するフィルムカメラ用の写し込み装置において、
前記透過表示部材は、前記文字及び／又は記号を複数並べて表示可能であって、
前記文字及び／又は記号が少なくとも一列並ぶ方向において前記透過表示部材を少なくとも２以上の領域に分けて前記領域毎に写し込みに使用する少なくとも２以上の光源及び光路を独立して設けたこと、
を特徴とする写し込み装置。
【請求項２】
請求項１に記載の写し込み装置において、
前記透過表示部材に一列に並んで表示される前記文字及び／又は記号は、連なる一連のデータであること、
を特徴とする写し込み装置。
【請求項３】
請求項１又は請求項２に記載の写し込み装置において、
前記透過表示部材と前記光源及び前記光路との組み合わせを、複数有すること、
を特徴とする写し込み装置。
【発明の詳細な説明】
【０００１】
【発明の属する技術分野】
本発明は、フィルムカメラにおいて文字や記号などを写し込む写し込み装置に関するものである。
【０００２】
【従来の技術】
従来から、写真フィルム上に文字や記号を写し込み記録を行う写し込み装置がカメラに搭載されている。
これら写し込み装置の写し込み形式の一つに、液晶等により形成され、文字形成部のみの光透過を可能にする透過表示部材を背後から光源で照明し、透過表示部材に形成された文字などをフィルム上に投影露光することにより文字などの写し込みを行う形式がある（以下、透過照明式と呼ぶ。）
【０００３】
従来の透過照明式写し込み装置では、一つの透過表示部材に対して、一つの光源から発光される光で透過照明を行っていた。この理由を図１３に示す。
図１３は、１つの透過表示部材に対し複数の光源が有る場合を想定した図である。
図１３に示すように、一つの透過表示部材に対して複数の光源からの光線が透過すれば、フィルム面上に結像される文字や記号が光源の数だけ異なる位置に結像することによって文字品位が損なわれたり、文字の結像範囲が大きくなったり、さらには文字自体が後に読みとり不可能である程にまで形が崩れて写し込まれるおそれがあり、複数の光源を用いることができなかった。
【０００４】
【特許文献１】
特開平５−１６５０９２号公報
【特許文献２】
特開２００１−５６５０１号公報
【０００５】
【発明が解決しようとする課題】
一方、一つの透過表示部材の文字数、又は、写し込み幅を増やし、記録可能な情報量を多くしたいという要求も多い。
図１４は、従来の写し込み装置において、透過表示部材の文字数、又は、写し込み幅を増やした場合を示す図である。
図１４に示すように、従来の写し込み装置において記録可能な情報量を多くする場合、光源と透過表示部材との距離を透過表示部材の幅に比例して広げなくてはならない。このようにする理由は、写し込み領域の中央付近の写し込み明るさも端部の写し込み明るさも均等なものであることが望ましいことと、透過表示部材を透過してフィルムに入射する光の角度は、垂直に近いほど文字品位が高くなるので、図１４中の角度Ａを広げることができないからである。
【０００６】
従来の透過照明式を採用しながら写し込み文字幅を広くする場合に、写し込み装置自体が大型化することを、より具体的な図を用いて説明する。
図１５は、通常用いられている写し込み幅を有する従来の写し込み装置を示す図である。
図１６は、写し込み幅を拡大した場合の従来の写し込み装置を示す図である。図１６からもわかるように従来の写し込み装置において写し込み幅を拡大すると、写し込み装置が大型化し、裏蓋への実装が困難になったり、実装するために裏蓋自体が大型化したりするおそれがあった。
【０００７】
ところで、写し込み幅を実質的に拡大する手法として、従来の写し込み装置を並列配置することが考えられる。
図１７は、従来の写し込み装置を並列配置した例を示す図である。
図１７に示す形態の場合、透過表示部材２１ａ，２１ｂを並列配置することになり、２つの透過表示部材の間隔が開きすぎ、また、２つの透過表示部材の文字位置を揃えて組み立てることは非常に困難であり、非実用的な配置方法になってしまう。さらに、必要なスペースが大きくなることが避けられなかった。
【０００８】
このように、従来の透過照明式の写し込み装置では、写し込み情報量を増やそうとすると、透過表示部材と光源との距離を比例して長くする必要があり、また、これが写し込み装置全体を大型にする要因となったり、カメラの小型化を阻害する要因になったりするという問題があった。
さらに、光は、光源からの距離の自乗に比例して暗くなるので、光源の発光力を写し込み幅の増大の自乗分の強さにしなくてはならず消費電流も増大してしまうという問題もあった。
【０００９】
本発明の課題は、搭載されるカメラが大型化することなく、消費電流の増大量も抑えながら、写し込み情報量を増大させることができる写し込み装置を提供することである。
【００１０】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、文字及び／又は記号を表示する透過表示部材（１１２，２１２，２２２，３１２，３２２）に表示された前記文字及び／又は記号を写真フィルムに透過投影して記録するフィルムカメラ用の写し込み装置において、前記透過表示部材は、前記文字及び／又は記号を複数並べて表示可能であって、前記文字及び／又は記号が少なくとも一列並ぶ方向において前記透過表示部材を少なくとも２以上の領域（１１２ａ，１１２ｂ，２１２ａ，２１２ｂ，２２２ａ，２２２ｂ，３１２ａ，３２２ａ，３２２ｂ）に分けて前記領域毎に写し込みに使用する少なくとも２以上の光源（１１５ａ，１１５ｂ，２１５ａ，２１５ｂ，２１５ｃ，２１５ｄ，３１５ａ，３１５ｃ，３１５ｄ）及び光路（１１１ａ，１１１ｂ，２１１ａ，２１１ｂ，２１１ｃ，２１１ｄ，３１１ａ，３１１ｃ，３１１ｄ）を独立して設けたこと、を特徴とする写し込み装置である。
【００１１】
請求項２の発明は、請求項１に記載の写し込み装置において、前記透過表示部材（１１２，２１２，２２２，３１２，３２２）に一列に並んで表示される前記文字及び／又は記号は、連なる一連のデータであること、を特徴とする写し込み装置である。
【００１２】
請求項３の発明は、請求項１又は請求項２に記載の写し込み装置において、前記透過表示部材（１１２，２１２，２２２，３１２，３２２）と前記光源（１１５ａ，１１５ｂ，２１５ａ，２１５ｂ，２１５ｃ，２１５ｄ，３１５ａ，３１５ｃ，３１５ｄ）及び前記光路（１１１ａ，１１１ｂ，２１１ａ，２１１ｂ，２１１ｃ，２１１ｄ，３１１ａ，３１１ｃ，３１１ｄ）との組み合わせを、複数有すること、を特徴とする写し込み装置である。
【００１３】
【発明の実施の形態】
以下、図面等を参照しながら、本発明の実施の形態について、さらに詳しく説明する。
図１は、本発明の第１実施形態の平面透視図である。
図２は、第１実施形態の写し込み装置の分解斜視図である。
図３は、第１実施形態の写し込み装置を内蔵した裏蓋の分解斜視図である。
図４は、第１実施形態の写し込み装置を内蔵した裏蓋を装備したカメラを示す斜視図である。
本実施形態における写し込み装置１１０は、一眼レフカメラの裏蓋１００に取り付けられ、フィルムの駒間に文字や記号などを写し込む装置であり、ベース部材１１１，液晶表示素子１１２，回路基板１１３，カバー部材１１４，第１の光源１１５ａ，第２の光源１１５ｂ，ゼブラゴム１１７，ミラー１１９ａ，１１９ｂ等を備えている。
【００１４】
ベース部材１１１は、写し込み装置の土台となる部品であり、第１の光路１１１ａ，第２の光路１１１ｂが独立して形成されている。
液晶表示素子１１２は、カメラの上下方向に長い領域に文字及び記号を表示する透過表示部材であり、本実施形態では、この領域を第１の文字形成領域１１２ａ及び第２の文字形成領域１１２ｂの２つに分けて利用している。
回路基板１１３は、各光源の発光及び液晶表示素子１１２を駆動するのに必要な基板であり、第１の光源１１５ａ及び第２の光源１１５ｂが実装されている。カバー部材１１４は、液晶表示素子１１２，回路基板１１３，ゼブラゴム１１７等をベース部材１１１との間に挟み込み固定するカバーである。
【００１５】
第１の光源１１５ａ，第２の光源１１５ｂは、回路基板１１３に実装されており、写し込みを行うときに発光を行う発光ダイオードである。
ゼブラゴム１１７は、液晶表示素子２と回路基板３との電気的接続を行う導電ゴムである。
ミラー１１９ａ，１１９ｂは、第１の光源１１５ａ，第２の光源１１５ｂが発光した光を液晶表示素子１１２に導く光学系を形成する部材である。
【００１６】
液晶表示素子１１２の第１の文字形成領域１１２ａに対しては、第１の光源１１５ａ，第１の光路１１１ａ，ミラー１１９ａが設けられている。
他方、第２の文字形成領域１１２ｂに対して第２の光源１１５ｂ，第２の光路１１１ｂ，ミラー１１９ｂが設けられている。
第１の光路１１１ａと第２の光路１１１ｂとの間は、完全に隔離されている。したがって、第１の光源１１５ａの光が第２の文字形成領域１１２ｂを照明したり第２の光源１１５ｂの光が第１の文字形成領域１１２ａを照明したりすることはない。
【００１７】
本実施形態によれば、全体の小型化をすることができると共に、使用時の消費エネルギーも少なく、組み立ても容易で有りながら、従来に比較して広い範囲に写し込みを行うことができ、写し込みによる情報量を増やすことができる。
【００１８】
（第２実施形態）
図５は、本発明の第２実施形態の平面透視図である。
図６は、第２実施形態の写し込み装置の分解斜視図である。
図７は、第２実施形態の写し込み装置を内蔵した裏蓋の分解斜視図である。
図８は、第２実施形態の写し込み装置を内蔵した裏蓋を装備したカメラを示す斜視図である。
【００１９】
第１実施形態がフィルム駒間への写し込みのみを行う形態であるのに対して、第２実施形態では、フィルム駒間に加えて、画面内部への写し込みを行う点が異なっている。これにより、第２実施形態では、液晶表示素子が複数存在する点が第１実施形態と異なっている。
なお、以下の第２及び第３実施形態の説明では、前述した第１実施形態と同様の機能を果たす部分には、末尾に同一の符号を付して、重複する説明を適宜省略する。
本実施形態における写し込み装置２１０は、ベース部材２１１，液晶表示素子２１２，２２２，回路基板２１３，カバー部材２１４，第１の光源２１５ａ，第２の光源２１５ｂ，第３の光源２１５ｃ，第４の光源２１５ｄ，ゼブラゴム２１７，２２７，ミラー２１９ａ，２１９ｂ，２２９ａ，２２９ｂ，２２９ｃ，２２９ｄ等を備えている。
【００２０】
ベース部材２１１には、第１の光路２１１ａ，第２の光路２１１ｂ，第３の光路２１１ｃ，第４の光路２１１ｄが独立して形成されている。
本実施形態では、フィルム駒間に加えて、画面内部への写し込みを行うために、上述のように４つの光路を独立して配置している。そのため、第３の光路２１１ｃ，第４の光路２１１ｄについては、ミラー２２９ｃ，２２９ｄをさらに追加することにより光路を曲げて、スペースを有効に利用している。このように配置することにより、裏蓋２００のサイズを大型化することなく配置することができる。
液晶表示素子２１２は、画面内部への写し込みを行う文字や記号などを表示する素子であり、第１の文字形成領域２１２ａ，第２の文字形成領域２１２ｂが形成されている。
液晶表示素子２２２は、フィルム駒間に写し込みを行う文字や記号などを表示する素子であり、第３の文字形成領域２２２ａ，第４の文字形成領域２２２ｂが形成されている。
【００２１】
第１の光路２１１ａ，第２の光路２１１ｂ，第３の光路２１１ｃ，第４の光路２１１ｄは、全て完全に隔離されている。したがって、ある光路の光が、他の光路に進入して予定外の文字形成領域を照明するようなことはない。
【００２２】
（第３実施形態）
図９は、本発明の第３実施形態の平面透視図である。
図１０は、第３実施形態の写し込み装置の分解斜視図である。
図１１は、第３実施形態の写し込み装置を内蔵した裏蓋の分解斜視図である。
図１２は、第３実施形態の写し込み装置を内蔵した裏蓋を装備したカメラを示す斜視図である。
【００２３】
第２実施形態では、画面内写し込みを行う領域が広く、写し込み光源を２つ設けていたのに対し、第３実施形態では、画面内写し込みを行う領域が狭く、光源も１つとなっている。つまり、従来の写し込みサイズで従来の写し込み方法を採用している点が異なる。ただし、駒間写し込みを行う部分は、本発明の複数光源形式であり、画面内写し込みを行う部分を小型化したために、光路を曲げる必要が無くなっている。
【００２４】
本実施形態における写し込み装置３１０は、ベース部材３１１，液晶表示素子３１２，３２２，回路基板３１３，カバー部材３１４，第１の光源３１５ａ，第３の光源３１５ｃ，第４の光源３１５ｄ，ゼブラゴム３１７，３２７，ミラー３１９，３２９ａ，３２９ｂ等を備えている。
【００２５】
ベース部材３１１には、第１の光路３１１ａ，第２の光路３１１ｃ，第３の光路３１１ｄが独立して形成されている。
本実施形態では、画面内写し込みを行う領域を狭くし、第２実施形態において設けていた第２の光路２１１ｂに相当する部分を無くしている。これにより、第２実施形態における第４の光路に相当する本実施形態の第３の光路３１１ｄを大きくすることが可能となり、本実施形態では、駒間に写し込みを行う領域を大きくしている。
【００２６】
（変形形態）
以上説明した実施形態に限定されることなく、種々の変形や変更が可能であって、それらも本発明の均等の範囲内である。
例えば、第１実施形態では、光源及び光路の数を２つとしたが、３つ以上の光源及び光路を設けてもよい。
【００２７】
また、第２実施形態では、２箇所の写し込み部の光源及び光路の数を共に２つとしたが、各々３つ以上あってもよいし、光源の数が異なっていてもよい。
【００２８】
さらに、第３実施形態では、本発明に関わる形式の写し込み部の光源及び光路の数を２つとしたが、３つ以上あってもよい。
さらにまた、第３実施形態では、駒間写し込み光路が２つあり、画面内写し込み光路が１つの例を示したが、これと反対に駒間写し込み光路が１本で、画面内写し込み光路が複数としてもよい。
【００２９】
【発明の効果】
以上詳しく説明したように、本発明によれば、以下の効果を奏することができる。
（１）文字及び／又は記号が少なくとも一列並ぶ方向において透過表示部材を少なくとも２以上の領域に分けて領域毎に写し込みに使用する少なくとも２以上の光源及び光路を独立して設けたので、全体の小型化をすることができると共に、使用時の消費エネルギーも少なくすることができる。また、組み立ても容易とすることができる。さらに、広い範囲に写し込みを行うことができる。さらにまた、分割した個々の写し込み領域の写し込み位置関係も綺麗に揃ったものとすることができる。
【００３０】
（２）透過表示部材に一列に並んで表示される文字及び／又は記号は、連なる一連のデータであるので、写し込みによる情報量を増やすことができる。
【００３１】
（３）透過表示部材と光源及び光路との組み合わせを、複数有するので、多様な配置で情報の記録を行うことができる。
【図面の簡単な説明】
【図１】本発明の第１実施形態の平面透視図である。
【図２】第１実施形態の写し込み装置の分解斜視図である。
【図３】第１実施形態の写し込み装置を内蔵した裏蓋の分解斜視図である。
【図４】第１実施形態の写し込み装置を内蔵した裏蓋を装備したカメラを示す斜視図である。
【図５】本発明の第２実施形態の平面透視図である。
【図６】第２実施形態の写し込み装置の分解斜視図である。
【図７】第２実施形態の写し込み装置を内蔵した裏蓋の分解斜視図である。
【図８】第２実施形態の写し込み装置を内蔵した裏蓋を装備したカメラを示す斜視図である。
【図９】本発明の第３実施形態の平面透視図である。
【図１０】第３実施形態の写し込み装置の分解斜視図である。
【図１１】第３実施形態の写し込み装置を内蔵した裏蓋の分解斜視図である。
【図１２】第３実施形態の写し込み装置を内蔵した裏蓋を装備したカメラを示す斜視図である。
【図１３】１つの透過表示部材に対し複数の光源が有る場合を想定した図である。
【図１４】従来の写し込み装置において、透過表示部材の文字数、又は、写し込み幅を増やした場合を示す図である。
【図１５】通常用いられている写し込み幅を有する従来の写し込み装置を示す図である。
【図１６】写し込み幅を拡大した場合の従来の写し込み装置を示す図である。
【図１７】従来の写し込み装置を並列配置した例を示す図である。
【符号の説明】
１００，２００，３００　裏蓋
１１０，２１０，３１０　写し込み装置
１１１，２１１，３１１　ベース部材
１１１ａ，２１１ａ，３１１ａ　第１の光路
１１１ｂ，２１１ｂ，３１１ｃ　第２の光路
２１１ｃ，３１１ｄ　第３の光路
２１１ｄ　第４の光路
１１２，２１２，２２２，３１２，３２２　液晶表示素子
１１２ａ，２１２ａ，３１２ａ　第１の文字形成領域
１１２ｂ，２１２ｂ　第２の文字形成領域
２２２ａ，３２２ａ　第３の文字形成領域
２２２ｂ，３２２ｂ　第４の文字形成領域
１１３，２１３，３１３　回路基板
１１４，２１４，３１４　カバー部材
１１５ａ，２１５ａ，３１５ａ　第１の光源
１１５ｂ，２１５ｂ，３１５ｃ　第２の光源
２１５ｃ，３１５ｄ　第３の光源
２１５ｄ　第４の光源
１１７，２１７，２２７，３１７，３２７　ゼブラゴム
１１９ａ，１１９ｂ，２１９ａ，２１９ｂ，２２９ａ，２２９ｂ，２２９ｃ，２２９ｄ，３１９，３２９ａ，３２９ｂ　ミラー
【図１】
2004145068.tif 000003
【図２】
2004145068.tif 000004
【図３】
2004145068.tif 000005
【図４】
2004145068.tif 000006
【図５】
2004145068.tif 000007
【図６】
2004145068.tif 000008
【図７】
2004145068.tif 000009
【図８】
2004145068.tif 000010
【図９】
2004145068.tif 000011
【図１０】
2004145068.tif 000012
【図１１】
2004145068.tif 000013
【図１２】
2004145068.tif 000014
【図１３】
2004145068.tif 000015
【図１４】
2004145068.tif 000016
【図１５】
2004145068.tif 000017
【図１６】
2004145068.tif 000018
【図１７】
2004145068.tif 000019